(57)【特許請求の範囲】
【請求項１】
基板（１）、カバー板（２）、揺動アーム（３）、バネ（４）および吊下環（５）とからなり、前記基板（１）は、左右対称に形成した係止部（６）に連続して設けた閉鎖部（７）を有する仕切体（８）を中央上部に形成し、この仕切体（８）の左右両側にそれぞれ設けた開口部（９、９）と、この開口部（９、９）の他側に連続して周縁に設けた壁部（１０）の両端部にそれぞれ外側ガイド面部（１１）を形成したものとし、前記カバー板（２）は、前記基板（１）の表面を覆う薄板とし、前記揺動アーム（３）は、前記係止部（６）に胴部（１２）の内側端（１２ａ）が係止されるようにすると共に、前記閉鎖部（７）の上方を覆い隠すガイド袖部（１５ａ）を胴部（１２）の内側端（１２ａ）に設け、さらに前記外側ガイド面部（１１）に略当接するガイド袖部（１５ｂ）を胴部（１２）の外側端（１２ｂ）に設け、胴部（１２）の上端に背負いベルト（Ｂ）の一端を取り付ける連結部（１６）を有すると共に、胴部（１２）の下方を前記基板（１）の支持体（１７）に揺動可能に軸支したものとし、前記バネ（４）は、前記揺動アーム（３）を互いに中央方向に付勢させるものとし、前記吊下環（５）は、前記基板（１）の仕切体（８）の中央部に取り付けられ、揺動アーム（３）のガイド袖部（１５ａ）の上方を覆い隠す支持体（１３）に取り付けたことを特徴とする背負い鞄用背環。
【請求項２】
前記揺動アーム（３）の胴部（１２）の後面部（１２ｃ）の上部に、前記基板（１）の上端部（１ａ）に沿うようにした鍔部（１９）を突設したことを特徴とする請求項１記載の背負い鞄用背環。
【発明の詳細な説明】
【技術分野】
【０００１】
この発明は、ランドセル等の背負い鞄の背負いベルトの上端をその背負い鞄の背当て部に取り付ける背負い鞄用背環に関するものである。
【背景技術】
【０００２】
従来、この種の背負い鞄用背環としては、例えば図６〜９に示したようなランドセル用背環が存在し、基板５１、カバー板５２、揺動アーム５３、バネ５４および吊下環５５とからなるものとしている。
【０００３】
基板５１は、左右対称に形成した係止部５６に連続して設けた内側ガイド面部５７を有する仕切壁５８を中央上端に形成し、この仕切壁５８の左右両側にそれぞれ設けた開口部５９、５９と、この開口部の他側に連続して周縁に設けた壁部６０の両端部にそれぞれ外側ガイド面部６１を形成したものとしている。
【０００４】
カバー板５２は、前記基板５１の表面を覆う薄手のものとしている。
【０００５】
揺動アーム５３は、前記内側ガイド面部５７および外側ガイド面部６１にそれぞれ略接するガイド袖部６２ａ、６２ｂを胴部６３の左右両側に設け、この胴部の上端に背負いベルトの一端を取り付ける連結部６４を有すると共に、この胴部の下方を前記基板５１の支持筒６５に揺動可能に軸支した、左右に対称に形成した一対のものとしている。
【０００６】
バネ５４は、前記揺動アーム５３を互いに中央方向に付勢させるものとしている。
【０００７】
吊下環５５は、前記基板５１の中央に設けた仕切り壁５８の表面中央に取り付けた保持板６６の先端に枢動可能に軸支したものとしている。
【０００８】
そして、係止部５６は、前記揺動アーム５３の胴部６３の内側端６３ａをそれぞれ係止させると共に開口部５９の一側端部５９ａを構成しており、基板５１の中央方向にバネ５４で付勢させた揺動アーム５３のストッパー機能を有したものとしている（特許文献１）。
【０００９】
したがって、このようにした従来の背負い鞄用背環は、基板５１の上部に設けた開口部５９内に位置する揺動アーム５３が揺動した際に、揺動アーム５３の胴部６３両側に設けたガイド袖部６２ａおよびガイド袖部６２ｂが常に開口部５９を閉口していることにより、学童の髪の毛や洋服の襟などが挟まるのを防止することができるとしている。
【特許文献１】実用新案登録第３１２００５７号公報（第２、４、５頁、図２〜５）
【発明の開示】
【発明が解決しようとする課題】
【００１０】
しかしながら、従来の背負い鞄用背環では、上記したように係止部５６が揺動アーム５３の胴部６３の内側端６３ａをそれぞれ係止させると共に開口部５９の一側端部５９ａを構成しているため、基板５１の中央方向に揺動アーム５３をバネ５４で付勢させたとき、この揺動アーム５３の胴部６３の内側端６３ａと開口部５９の側端部５９ａと間に、学童の髪の毛や洋服の襟などが挟まることがあるという問題点を有していた。
【００１１】
さらに、従来の背負い鞄用背環では、背負い鞄を背負ったときに揺動アーム５３の胴部６３の上端に設けた連結部６４に取り付けた背負いベルトによって、この揺動アーム５３が使用者の背中側に引っ張られて反り返り、揺動アーム５３の胴部６３の後面部と開口部５９との間に隙間ができ、この隙間に、学童の髪の毛や洋服の襟などが挟まることがあるという問題点を有していた。
【００１２】
そこで、この発明は、上記従来の問題点を解決するものであり、学童の髪の毛や洋服の襟などが、基板の上部に設けた開口部に挟まることがないのは勿論、基板に左右対称に形成した係止部と揺動アームの胴部の内側端との間に挟まることがなく、しかも揺動アームの胴部の後面部と開口部との間にできる隙間にも挟まることがない背負い鞄用背環を提供することを目的としてなされたものである。
【課題を解決するための手段】
【００１３】
この発明の背負い鞄用背環は、基板１、カバー板２、揺動アーム３、バネ４および吊下環５とからなるものとしている。
【００１４】
前記基板１は、左右対称に形成した係止部６に連続して設けた閉鎖部７を有する仕切体８を中央上部に形成し、この仕切体８の左右両側にそれぞれ設けた開口部９、９と、この開口部９、９の他側に連続して周縁に設けた壁部１０の両端部にそれぞれ外側ガイド面部１１を形成したものとしている。
【００１５】
前記カバー板２は、前記基板１の表面を覆う薄板としている。
【００１６】
前記揺動アーム３は、前記係止部６に胴部１２の内側端１２ａが係止されるようにすると共に、前記閉鎖部７の上方を覆い隠すガイド袖部１５ａを胴部１２の内側端１２ａに設け、さらに前記外側ガイド面部１１に略当接するガイド袖部１５ｂを胴部１２の外側端１２ｂに設け、胴部１２の上端に背負いベルトＢの一端を取り付ける連結部１６を有すると共に、胴部１２の下方を前記基板１の支持体１７に揺動可能に軸支したものとしている。
【００１７】
前記バネ４は、前記揺動アーム３を互いに中央方向に付勢させるものとしている。
【００１８】
前記吊下環５は、前記基板１の仕切体８の中央部に取り付けられ、揺動アーム３のガイド袖部１５ａの上方を覆い隠す支持体１３に取り付けたものとしている。
【００１９】
そして、この発明の背負い鞄用背環は、前記揺動アーム３の胴部１２の後面部１２ｃの上部に、前記基板１の上端部１ａに沿うようにした鍔部１９を突設したものとしている。
【発明の効果】
【００２０】
この発明の背負い鞄用背環は、以上に述べたように構成されているので、学童の髪の毛や洋服の襟などが、基板の上部に設けた開口部に挟まることがないのは勿論、基板に左右対称に形成した係止部と揺動アームの胴部の内側端との間に挟まることがなく、しかも揺動アームの胴部の後面部と開口部との間にできる隙間にも挟まることがないものとなった。
【発明を実施するための最良の形態】
【００２１】
以下、この発明の背負い鞄用背環の実施の形態を、図面に基づいて詳細に説明する。
【００２２】
図１は、この発明の背負い鞄用背環を備えたランドセルＲを背当て部側から見た斜視図を示している。Ｂは背負いベルトであり、この背負いベルトＢの上端はこの発明の背負い鞄用背環に取り付けられており、背負いベルトＢの下端は取付け具（図示せず）に取り付けられている。
【００２３】
この発明の背負い鞄用背環は、金属材や合成樹脂材などから形成される基板１と、この基板１の表面を覆う薄手の金属材や合成樹脂材などから形成されるカバー板２と、前記基板１とカバー板２との間に設けた空室Ｓ内に揺動可能に収容した一対の揺動アーム３と、前記空室Ｓ内において揺動アーム３をそれぞれ中央方向に付勢するバネ４と、不使用時の背負い鞄を吊り下げておくための吊下環５とからなるものとしている。
【００２４】
基板１は、左右対称に形成した係止部６に連続して設けた閉鎖部７を有する仕切体８を中央上部に形成し、この仕切体８の左右両側にそれぞれ設けた開口部９、９と、この開口部の他側に連続して周縁に設けた壁部１０の両端部にそれぞれ外側ガイド面部１１を形成したものとしている。そして、この基板１の表面に前記カバー板２が取り付けられ、基板１とカバー板２の間に前記空室Ｓが設けられている。
【００２５】
前記仕切体８の係止部６は、揺動アーム３の胴部１２の内側端１２ａをそれぞれ係止させると共に開口部９の一端部を形成している。前記仕切体８の閉鎖部７は、係止部６の上方で基板１の中央上部に位置するように設けられている。また、前記仕切体８の中央部には、吊下げ環５の支持体１３を取り付けるためのリベット穴１４が設けられている。
【００２６】
揺動アーム３は、前記係止部６に胴部１２の内側端１２ａが係止されるようにすると共に、前記閉鎖部７の上方を覆い隠すガイド袖部１５ａを胴部１２の内側端１２ａに設け、さらに前記外側ガイド面部１１に略当接するガイド袖部１５ｂを胴部１２の外側端１２ｂに設け、胴部１２の上端に背負いベルトＢの一端を取り付ける連結部１６を有すると共に、胴部１２の下方を前記基板１の支持体１７に揺動可能に軸支したものとしている。前記ガイド袖部１５ａは、適当な曲率半径の円弧形状にして、閉鎖部７の上方を覆い隠すようにしており、前記ガイド袖部１５ｂは、外側ガイド面部１１の湾曲形状に沿うような円弧形状としており、ガイド袖部１５ｂの外側面と外側ガイド面部１１とが略当接しながら摺動して開口部９に隙間が生じないようにしている。そのため、ランドセルを背負った学童、特に女の子の長い髪の毛や、洋服の襟などが、前記係止部６と揺動アーム３の胴部１２との間や、開口部９に入り込んで挟まれるのを防止することができる。なお、図に示した一対の揺動アーム３は、対向する胴部１２の内側端１２ａにそれぞれ歯部１８を設け、これら歯部１８を互いに噛み合わせることにより、連動して揺動するものとしているが、前記歯部１８を設けることなく、それぞれの揺動アーム３が連動することなく揺動するものとしてもよい。
【００２７】
さらに、揺動アーム３の胴部１２の後面部１２ｃの上部には、前記基板１の上端部１ａに沿うようにした鍔部１９を突設したものとしている。この鍔部１９は、揺動アーム３の胴部１２の後面部１２ｃの上部において幅方向全長に渡って突き出したものとしており、基板１の上端部１ａに沿うようにすることにより、揺動アーム３の胴部１２の後面部１２ｃと開口部９との間にできる隙間Ｄを覆い隠すようにしている。
【００２８】
バネ４は、略Ｕ字状の板バネとしており、外体４ａを前記基板１の外側ガイド面部１１に当接させ、内体４ｂを前記揺動アーム３の胴部１２の外側端１２ｂに当接させることにより、一対の揺動アーム３を互いに中央方向に付勢させるものとしている。
【００２９】
吊下環５は、前記基板１の中央上部に設けた仕切体８の中央部に取り付けられ、前記揺動アーム３のガイド袖部１５ａの上方を覆い隠す支持体１３の上端に取り付けたものとしている。なお、支持体１３は、前記基板１に挟み込み、前記仕切体８の中央部に設けたリベット孔１４、この支持体１３に設けたリベット孔２０及びカバー板２の中央上部に設けたリベット孔２１にリベット２２を貫通させて、ランドセルＲの背当て部の裏側に取り付けられる止板（図示せず）にリベット止めすることにより、基板１とカバー板２に軸支されている。
【００３０】
そして、この発明の背負い鞄用背環は、空室Ｓ内をリベット２３が通過するようにカバー体２の上部の両端寄りにリベット孔２４ａ、２４ａを設けると共に、基板１の上部の両端寄りにリベット孔２４ｂ、２４ｂを設け、カバー体２側からこれらリベット孔２４ａ、２４ｂ、リベット孔２４ａ、２４ｂにそれぞれリベット２３を貫通させて、ランドセルＲの背負い部の裏側に取り付けられる前記止板（図示せず）にリベット止めしている。
【００３１】
さらに、前記カバー板２の下部の両端寄りにリベット孔２５ａ、２５ａを設けると共に、基板１の下部の両端寄りにリベット孔２５ｂ、２５ｂを設け、揺動アーム３の下部寄りにリベット孔２５ｃ、２５ｃを設け、基板１側からこれらリベット孔２５ａ、２５ｂ、２５ｃ、リベット孔２５ａ、２５ｂ、２５ｃにそれぞれリベット２６を貫通させて、基板１とカバー板２の間に揺動アーム３を軸支している。
【００３２】
なお、図４中、２７はカバー板２の上に当生地２８（図１参照）を押さえ付けておくための押板であり、この押板２７は、中央にリベット孔２９を設けると共に両端寄りにリベット孔３０、３０を設けており、当生地２８を前記カバー板２との間に挟んで、リベット孔２９に前記リベット２２を貫通させると共に、リベット孔３０、３０に前記リベット２３を貫通させることにより、基板１とカバー板２と共に、ランドセルＲの背負い部の裏側に取り付けられる前記止板（図示せず）にリベット止めしている。
【００３３】
以上に述べたように構成されたこの発明の背負い鞄用背環は、背負いベルトＢの一端を連結した一対の揺動アーム３がバネ４の作用によって互いに中央寄りに位置するように設けられているが、学童がランドセルを背負うために背負いベルトＢに腕を通すと、両背負いベルトＢ間の間隔が広げられる。
【００３４】
すると、前記揺動アーム３のガイド袖部１５ｂの外側面と外側ガイド面部１１とが略当接しながら摺動するので、開口部９には隙間が生じることなく、ランドセルを背負った学童、特に女の子の長い髪の毛や、洋服の襟などが、前記開口部９に入り込んで挟まれるのを防止することができる。
【００３５】
また、学童が背負ったランドセルをおろすと、両背負いベルトＢ間の間隔が狭められてもとに状態に戻る。
【００３６】
すると、前記揺動アーム３がバネ４の作用によって互いに中央寄りに戻って、前記仕切体８の係止部６に揺動アーム３の胴部１２の内側端１２ａが接触するが、揺動アーム３のガイド袖部１５ａは、仕切体８の上方を覆い隠しているので、仕切体８の係止部６と揺動アーム３の胴部１２の内側端１２ａとの間には、女の子の長い髪の毛や、洋服の襟などが入り込んで挟まれることはないものとなる。
【００３７】
さらに、学童がランドセルを背負ったり、おろしたりする場合に、背負いベルトＢによって前記揺動アーム３が使用者の背中側に引っ張られて反り返り、揺動アーム３の胴部１２の後面部１２ｃと開口部９との間の隙間Ｄが広がったとしても、図３、５に示したように、隙間Ｄは揺動アーム３の胴部１２の後面部１２ｃの上部に突設した鍔部１９によって覆い隠されているので、この隙間Ｄに女の子の長い髪の毛や、洋服の襟などが入り込んで挟まれることはないものとなる。
【図面の簡単な説明】
【００３８】
【図１】この発明の背負い鞄用背環を備えた背負い鞄の背当て部側から見た斜視図である。
【図２】この発明の背負い鞄用背環のカバー板を外した状態の斜視図である。
【図３】この発明の背負い鞄用背環の基板側から見た斜視図である。
【図４】この発明の背負い鞄用背環の分解斜視図である。
【図５】この発明の背負い鞄用背環の図３中のＡ−Ａ線断面図である。
【図６】従来の背負い鞄用背環の作動状態を示す正面図である。
【図７】従来の背負い鞄用背環のカバー板を外した状態の正面図である。
【図８】従来の背負い鞄用背環の基板の正面図である。
【図９】従来の背負い鞄用背環の揺動アームの一部破断した正面図である。
【符号の説明】
【００３９】
１  基板
１ａ  上端部
２  カバー板
３  揺動アーム
４  バネ
５  吊下環
６  係止部
７  閉鎖部
８  仕切体
９  開口部
１０  壁部
１１  外側ガイド面部
１２  胴部
１２ａ  内側端
１２ｂ  外側端
１２ｃ  後面部
１３  支持体
１５ａ  ガイド袖部
１５ｂ  ガイド袖部
１７  支持体
１９  鍔部
Ｂ  背負いベルト
【図１】
0004543288.tif 000002
【図２】
0004543288.tif 000003
【図３】
0004543288.tif 000004
【図４】
0004543288.tif 000005
【図５】
0004543288.tif 000006
【図６】
0004543288.tif 000007
【図７】
0004543288.tif 000008
【図８】
0004543288.tif 000009
【図９】
0004543288.tif 000010